(57)【要約】【課題】雨天時においても、作業現場等で調査等の記録を可能とし、パソコン等の情報端末への入力等も可能とするツールの開発。【解決手段】携行用作業板１であり、概略平面状の四辺形の基板２と、基板２の端部の一部において基板２と概略直角方向に補助板３１、３２、３３を連続的に又は断続的に取り付け、紐４を携行用作業板１に取り付けるための孔５又は留め具６のいずれかが少なくとも２以上が基板２又は補助板３に設けられ、補助板３１、３２、３３に透明な可撓性材質からなるフード７を取り付ける構造とすることを特徴とする。【選択図】 図１
2008296497.tif 000002
【特許請求の範囲】
【請求項１】
平面状の四辺形基板と、
前記基板の端部の一部において、前記基板と略直角方向に補助板が連続的に取り付けられ、
前記基板又は補助板には、ひも取り付け用の孔又は留め具のいずれかが少なくとも２以上設けられ、
前記補助板には、透明な可撓性材質からなるフードを取り付けられたこと、
を特徴とする携行用作業板。
【請求項２】
前記フードが前記補助板から着脱可能に取り付けられたこと、
を特徴とする請求項１に記載の携行用作業板。
【請求項３】
前記フードの形状が前記補助板に取り付ける側よりも取り付ける側に対向する側が幅広となっていること、
を特徴とする請求項１から２に記載の携行用作業板。
【請求項４】
前記フードの前記補助板に取り付ける端部以外の端部に、
おもりが断続的または連続的に取り付けられたこと、
を特徴とする請求項１から３に記載の携行用作業板。
【請求項５】
前記基板の端部の全部又は一部で緩衝材を取り付けたこと、
を特徴とする請求項１から４に記載の携行用作業板。
【請求項６】
前記補助板が取り付けられない前記基板の一辺が、基板の中心方向に凹状に窪んでいること、
を特徴とする請求項１から５に記載の携行用作業板。
【請求項７】
前記基板又は補助板が透明材料によりなること、
を特徴とする請求項１から６に記載の携行用作業板。
【発明の詳細な説明】
【技術分野】
【０００１】
本発明は、雨天時においても、屋外にて、調査若しくは点検の記録を可能とし、又は、パソコン等の情報端末への入力等を可能とするものである。
【背景技術】
【０００２】
出願人などの電気事業者は、需要家の要請等により、電気設備サービスや電気設備調査などを行うことがある。このような場合、領収書を発行したり、調査票に記入するなどの業務が必要になるが、雨天時においては、傘をさしながら、又は、軒下・出向車両内での作業になってしまう。
【０００３】
しかし、傘をさしながらの場合は、傘の骨の部分が充電部に接触し感電する危険性があり、又、傘に気を取られて誤記入・誤入力してしまう恐れもあり、更には、雨により領収書や調査票が雨に濡れてしまうという状況にもなりがちである。
【０００４】
又、出向車両内での作業となると、調査票の記入精度が低下したり、見落としなどで再度の現地調査が必要となることもありえ、作業効率の低下の懸念が大きい。
【発明の開示】
【発明が解決しようとする課題】
【０００５】
そこで、需要家に限らず作業現場等への出向時に、雨天時においても、調査若しくは点検の記録を可能とし、又、パソコン等の情報端末への入力等を可能とするツールの開発が望まれていた。
【０００６】
本発明は、かかる課題を解決するものであり、簡易な構造で、雨天時にも適切に記録又は入力等を可能とする携行用作業板の提案に関するものである。
【課題を解決するための手段】
【０００７】
上記の課題を解決するため、次の内容の携行用作業板を案出した。
【０００８】
つまり、請求項１に係る携行用作業板は、概略平面状に形成された四辺形の基板と、前記基板の端部の一部において前記基板と概略直角方向に補助板を連続的に又は断続的に取り付け、紐取り付け用の孔又は留め具のいずれかが少なくとも２以上前記基板又は補助板に設け、前記補助板に、透明な可撓性材質からなるフードを取り付けることを特徴とする。
【０００９】
請求項２に係る携行用作業板は、請求項１の携行用作業板にて、前記フードが前記補助板から着脱可能に取り付けられることを特徴とする。
【００１０】
請求項３に係る携行用作業板は、請求項１〜２の携行用作業板にて、前記フードの形状が前記補助板に取り付ける側よりも取り付ける側に対向する側が幅広となっていることを特徴とする。
【００１１】
請求項４に係る携行用作業板は、請求項１〜３の携行用作業板にて、前記フードの形状が略等脚台形状で、前記補助板に取り付ける側よりも取り付ける側に対向する側が幅広となっていることを特徴とする。
【００１２】
請求項５に係る携行用作業板は、請求項１〜４の携行用作業板にて、前記フードの前記補助板に取り付ける端部以外の端部に、おもりが断続的または連続的に取り付けられることを特徴とする。
【００１３】
請求項６に係る携行用作業板は、請求項１〜５の携行用作業板にて、前記基板の端部の全部又は一部で緩衝材を取り付けたことを特徴とする。
【００１４】
請求項７に係る携行用作業板は、請求項１〜６の携行用作業板にて、前記補助板が取り付けられない前記基板の一辺が、基板の中心方向に凹状に窪んでいることを特徴とする。
【００１５】
請求項８に係る携行用作業板は、請求項１〜７の携行用作業板にて、前記基板又は補助板が全部又は一部透明となっていることを特徴とする。
【発明の効果】
【００１６】
本発明の実施により、雨天時においても、屋外にて、調査若しくは点検の記録が可能となり、又、パソコン等の情報端末への入力等が可能となる。
【発明を実施するための最良の形態】
【００１７】
以下、本発明の実施の形態を、図に基づき説明する。
携行用作業板１は、概略平面状の四辺形の基板２と、基板２の端部の一部において基板２と概略直角方向に補助板３１、３２、３３を連続的に又は断続的に取り付け、紐４を携行用作業板１に取り付けるための孔５又は留め具６のいずれかが少なくとも２以上が基板２又は補助板３１、３２、３３に設けられ、補助板３１、３２、３３に透明な可撓性材質からなるフード７を取り付ける構造を基本とする。ここで、紐４は、この携行用作業板１を利用する者の首に吊り下げることを目的として取り付けられるものである。作業者は、基板２と補助板３１、３２、３３とフード７による開口部から腕を入れ、雨の侵入を受けることなく基板２の上で、書類に記録又はパソコン等の情報端末への入力等することが可能である。また、これを可能とするため、補助板３２、３３は、腕を開口部に差し込める構造とするため、基盤２の側面の一部分には設置しないようにし、更に、フード７は補助板３２．３３の全辺に取り付けないようにする。また、雨水浸入を防ぐため、フード７は基板２よりも広くする必要がある。
【００１８】
また、前述の基本となるもののバリエーションとして、フード７が補助板３１、３２、３３から着脱可能に取り付けるようにすることも可能である。つまり、雨天時のみフード７を取り付けることにして、携行用作業板１を全天候にて利用できるようにする。着脱の方法としては、ベルクロテープ（登録商標としてはマジックテープが著名である）、ファスナ、スナップなどが考えられるが、防水性を担保できることが選択のポイントとなる。
【００１９】
更に、図２のように、フード７が補助板３１に取り付ける側よりも取り付ける側に対向する側が幅広となっている形状のものも雨水の浸入を防ぐ効果を高くすることができる。図２は、携行用作業板１の上視からの平面図であり、フード７の補助板３１、３２、３３に取り付く端部８１、８２、８３と補助板に取り取り付けない端部９１、９２、９３、９４、９５の違いを表示するものである。また、図３も携行用作業板１の上視からの平面図であるが、図２に示す連続的に広がるフード７と異なり、フード７を段差をつけて広げることで防水効果を高めているものである。
【００２０】
更にまた、図４および図５に示すように、フード７の補助板３１、３２、３３に取り付けない端部９１、９２、９３に、錘を断続的または連続的に取り付けられることも雨水の浸入を防ぐために効果がある。つまり、風が吹く場合、ビニールなどで構成されたフード７による開口部は拡げられるおそれがあることから、このような事象を防ぐためにも、フード７の端部９１、９２、９３に離散的に錘１０１、１０２、１０３、１０４を、又は、連続的に錘１１０を、それぞれ取り付けることは効果がある。
【００２１】
一方、携行用作業板１は、作業者の胸又は腹に常に接し、更には、需要家の設備にも接触することも予想される。このため、基板２の端部の全部又は一部で緩衝材を取り付けることにより、作業者を保護し、又は、需要家の設備を損傷しないようにすることができる。基板２の上面（記録等の作業をおこなう面）よりも突きでるように緩衝材を取り付けると、基板２の上面より物が落ち難くなるという副次的な効果も期待できる。
【００２２】
また更に、図６に示すように、作業者の胸又は腹に接する補助板３が取り付けられない基板２の一辺１２を基板の中心方向にやや凹状に窪ますことで、緩衝材の効果とあいまって、作業者保護をより徹底することができる。
【００２３】
そして、携行用作業板１を構成する部材である基板２及び／又は補助板３の全部又は一部を透明材料とすることにより、作業者の足元の視認性を高め、携行用作業板１を利用しても歩行の安全などが確保できる。
【００２４】
なお、夜間においても利用できるように、ライトを基板２の上面等に設置することもでき、このライトおよび基板上面で操作する対象となるパソコン等の電源として、基板２の下面等にバッテリーを設置することもできる。
【図面の簡単な説明】
【００２５】
【図１】本願発明の基本的な構成。
【図２】フードの形状の説明図（平面図）。
【図３】フードの形状の説明図（平面図）。
【図４】フードに取り付ける離散的錘の説明図（平面図）。
【図５】フードに取り付ける連続的錘の説明図（平面図）。
【図６】作業者に当る面を窪ませることの説明図。
【符号の説明】
【００２６】
１  携行用作業板
２  基板
３１、３２、３３  補助板
４  紐
５  基板又は補助板に設ける孔
６  基板又は補助板に設ける留め具
７  フード
８１、８２、８３  フード７の補助板３１、３２、３３に取り付く端部
９１、９２、９３、９４、９５  フード７の補助板３１、３２、３３に取り付けない端部
１０１、１０２、１０３、１０４  離散的配置の錘
１１０  連続的配置の錘
１２  作業者の胸又は腹に接する補助板３が取り付けられない基板２の一辺
【図１】
2008296497.tif 000003
【図２】
2008296497.tif 000004
【図３】
2008296497.tif 000005
【図４】
2008296497.tif 000006
【図５】
2008296497.tif 000007
【図６】
2008296497.tif 000008